(57)【要約】【課題】老人や身体不自由者が容易（楽）に乗降することのできる歯科治療ユニットを提供する。【解決手段】歯科治療椅子１０と、該歯科治療椅子１０の上部に該歯科治療椅子を横切る方向に走行可能なリフト機構２２と、該リフト機構に吊架され、患者が腰掛けることのできる腰掛け部２４ａを有する吊り具２４から成る。患者は図示のように、吊り具２４に乗り、この状態で、リフト機構２２にて上下動、走行等させ、患者を歯科治療椅子１０に乗せ、或いは、歯科治療椅子１０から降す。【選択図】　　　　図１
2004105428.tif 000002
【特許請求の範囲】
【請求項１】
歯科治療椅子と、該歯科治療椅子の上部に該歯科治療椅子を横切る方向に走行可能なリフト機構と、該リフト機構に吊架され、患者が腰掛けることのできる腰掛け部を有する吊り具から成ることを特徴とする歯科治療ユニット。
【請求項２】
前記歯科治療椅子の側方に立設されかつ該歯科治療椅子の上部を横切る方向に延長するアーム部を有し、該アーム部に前記リフト機構が走行可能に設けられていることを特徴とする請求項１に記載の歯科治療ユニット。
【請求項３】
前記吊り具は前記リフト機構に対して着脱自在であることを特徴とする請求項１又は２に記載の歯科治療ユニット。
【発明の詳細な説明】
【０００１】
【発明の属する技術分野】
本発明は、歯科治療ユニット、より詳細には、老人や身体不自由者が容易（楽）に乗降することのできるリフト機構を備えた歯科治療ユニットに関する。
【０００２】
【従来の技術】
図２は、本発明が適用される歯科治療椅子の一例を説明するための要部構成図で、図中、１０は歯科治療椅子で、該歯科治療椅子１０は、安頭台１１、バックレスト１２、コンターシート１３、レッグレスト１４、フットレスト１５、肘受け１６等とから成り、周知のように、歯科治療に当たり、患者は椅子に座り、頭を安頭台１１に固定し、肘を肘受け１６の上に乗せた状態で治療を受ける。治療中、術者は治療椅子を上下動、起到、傾斜動等させて、患者を治療しやすい姿勢にして治療を行う。
【０００３】
【発明が解決しようとする課題】
しかし、上述のごとき従来の歯科治療椅子においては、老人や身体不自由者は、椅子に乗る際は、通常、バックレスト１２の方に向き、肘受け１６に掴まった状態で、フットレスト１５の上に乗り、該フットレスト１５の上で、足の向き（身体の向き）を変えて、コンターシート１３の上に座る（腰掛ける）等しており、また、降りる際は、その逆に、フットレスト１５の上で、肘受け１６の助けをかりて身体の向きをバックレスト１２側に向け、その状態で、すなわち、後ろ向きの状態で、フットレスト１５から降りる等しているが、老人や身体不自由者にとって、肘受けの位置が遠く、治療椅子への乗り降りが大変であった。
【０００４】
本発明は、上述のごとき実情に鑑みてなされたもので、特に、リフト（昇降）機構を用いて患者を歯科治療椅子に乗せ、或いは、歯科治療椅子から降すようにして、老人や身体不自由者が歯科治療椅子に容易に乗り降りすることができるようにした歯科治療ユニットを提供することを目的としてなされたものである。
【０００５】
【課題を解決するための手段】
請求項１の発明は、歯科治療椅子と、該歯科治療椅子の上部に該歯科治療椅子を横切る方向に走行可能なリフト機構と、該リフト機構に吊架され、患者が腰掛けることのできる腰掛け部を有する吊り具から成ることを特徴とする歯科治療ユニットである。
【０００６】
請求項２の発明は、請求項１の発明において、前記歯科治療椅子の側方に立設されかつ該歯科治療椅子の上部を横切る方向に延長するアーム部を有し、該アーム部に前記リフト機構が走行可能に設けられていることを特徴としたものである。
【０００７】
請求項３の発明は、請求項１又は２の発明において、前記吊り具は前記リフト機構に対して着脱自在であることを特徴としたものである。
【０００８】
【発明の実施の形態】
図１は、本発明による歯科治療ユニットの一実施例を説明するための要部概略構成図で、図中、１０は歯科治療椅子、２０は本発明によって付加されたリフト装置で、該リフト装置２０は、歯科治療椅子１０の側方に立設された支柱部２１ａと該支柱部２１ａの上部より歯科治療椅子１０を横切る方向に延長するアーム部２１ｂとよりなるリフト機構装着部材２１と、前記アーム部２１ｂに沿って矢印Ａ方向に走行可能でかつワイヤ２３を矢印Ｂ方向に昇降（巻き上げ、巻き下げ）可能なリフト機構２２と、該ワイヤ２３に一体的に或いは着脱自在に連結され、かつ、患者が腰掛けることのできる腰掛け部２４ａを有する吊り具２４と、必要に応じて、無影灯２５とを有する。
【０００９】
老人や身体不自由者等の患者が歯科治療を受けるに当り、患者は歯科治療椅子１０に腰掛けなければならないが、前述のように、身体不自由者が歯科治療椅子１０に乗降するのは大変であった。リフト装置２０は、そのためのもので、患者が歯科治療椅子１０に乗る際は、患者は、図１に示した吊り具２４の位置に立ち、吊り具２４を下げ（或いは、前もって下げておいてもよい）、腰掛け部２４ａに腰掛け（図の状態）、その状態で、リフト機構２２を巻き上げ、次いで、アーム部２１ａに沿って移動させ、患者を歯科治療椅子１０の前まで運び、次いで、リフト機構２２を巻き下げて患者を歯科治療椅子１０の上に乗せ、次いで、患者から吊り具２４を外し、リフト機構２２を元の位置に戻し、以降、従来と同様にして歯科治療を行う。
【００１０】
歯科治療が終って、患者を歯科治療椅子から降す時は、前記と逆に、まず、リフト機構２２を移動して、患者の臀部の下に吊り具２４の腰掛け部２４ａを当て、リフト機構２２を上昇（巻き上げ）、走行、下降（巻き下げ）させて、図１に示す位置まで患者を運び、ここで、患者を降ろす。
【００１１】
なお、図１には、吊り具２４がリフト機構２２のワイヤ２３に着脱自在に取り付けられている場合を例として示したが、吊り具２４をワイヤ２３に対して着脱自在としておくことも可能である。しかし、図示のように着脱自在にしておけば、患者を歯科治療椅子１０に乗せた時に、単に、吊り具２４をワイヤ２３から外すだけで、つまり、患者は吊り具２４を臀部の下に敷いたままの状態で歯科治療を受け、歯科治療終了後、リフト機構２２を患者の上部まで移動させ、その状態で、吊り具２４をワイヤ２３に連結するようにすれば、歯科治療中、吊り具２４が人の目につかず、また、治療作業の邪魔にならず、しかも、患者を治療椅子に座らせたり、治療椅子から持ち上げる時の作業が非常に楽になる。
【００１２】
また、以上には、リフト機構２２を取り付ける部材を、歯科治療椅子の側方に立設した支柱部２１ａの上部から延長するアーム部２１ｂに取り付けるようにした例を示したが、このアーム部に相当する部分を、治療室の天井等に直接取り付けるようにすることも可能で、このようにすれば、支柱部２１ａを省略でき、治療室内の景観をより簡素なものとすることができる。
なお、前記リフト機構の昇降、走行等はリフト機構と一緒に移動する手元の操作スイッチによってもよいが、全く別個に構成された電池式或いは光学式のリモコンスイッチによって操作するようにしてもよい。
【００１３】
【発明の効果】
以上の説明から明らかなように、本発明によると、リフト装置によって、患者が治療椅子へ乗る時、及び、治療椅子から降りる時の動作を助けるようにしたので、老人や身体不自由の人でも、容易に、治療椅子に乗り降りすることができる。
【図面の簡単な説明】
【図１】本発明による歯科用治療椅子の一実施例を説明するための要部概略斜視図である。
【図２】従来の歯科治療椅子の一例を説明するための図である。
【符号の説明】
１０…歯科治療椅子、１１…安頭台、１２…バックレスト、１３…コンターシート、１４…レッグレスト、１５…フットレスト、２０…リフト装置、２１…リフト装置装着部材、２１ａ…支柱部、２１ｂ…アーム部、２２…リフト機構、２３…吊りワイヤ、２４…吊り具、２５…無影灯。
【図１】
2004105428.tif 000003
【図２】
2004105428.tif 000004